(57)【要約】【課題】イベント等の興趣性を一段と向上し、かつ暴漢撃退性に優れるクラッカー爆音放射筒を提供する。【解決手段】細長筒体の本体２内に、複数のクラッカー１０を並設収納してクラッカー１０の爆発用の引紐１１を後方に引き伸ばすクラッカー弾５を装脱自在に収納して本体２の端部に開口するクラッカー室３を設けると共に、本体２の外周から操作片８を突き出す引紐操作体７をクラッカー室３の後方中空部に設け、さらに、本体２は、クラッカー弾５の装脱用開閉蓋４と、引紐１１の引紐操作体７への着脱自在の連結係止手段を備え、操作片８の指先操作によってクラッカー弾５のクラッカーを順次爆発させて本体２端から爆音放射させる構造を特徴とするクラッカー爆音放射筒１が特徴である。【選択図】    図１
2004309043.tif 000002
【特許請求の範囲】
【請求項１】
細長筒体の本体内に、複数のクラッカーを並設収納して該クラッカーの爆発用の引紐を後方に引き伸ばすクラッカー弾を装脱自在に収納して前記本体の端部に開口するクラッカー室を設けると共に、該本体の外周から操作片を突き出す引紐操作体を前記クラッカー室の後方中空部に設け、さらに、前記本体は、前記クラッカー弾の装脱用開閉蓋と、前記引紐の前記引紐操作体への着脱自在の連結係止手段を備え、前記操作片の指先操作によって前記クラッカー弾のクラッカーを順次爆発させて前記本体端から爆音放射させる構造を特徴とするクラッカー爆音放射筒。
【請求項２】
細長筒体の本体内に、複数のクラッカーを並設収納して該クラッカーの爆発用の引紐を後方に引き伸ばすクラッカー弾を装脱自在に収納して前記本体の端部に開口するクラッカー室を設けると共に、該クラッカー室の後方中空部に前記引紐操作用のコイルばねを内設し、さらに、前記本体は、前記クラッカー弾の装脱用開閉蓋と該コイルばねと前記引紐との着脱自在の連結係止手段と、該コイルばねの圧縮セットロック手段と該圧縮セットロックの解除手段を備え、前記コイルばねの圧縮セットロックの解除による伸長付勢力によって前記引紐を引き操作して、前記クラッカー室のクラッカーを順次爆発させて前記本体端から爆音放射させる構造を特徴とするクラッカー爆音放射筒。
【請求項３】
コイルばねを、本体中空部をスライド移動自在のコイルばね筒に内装し、本体周壁のボール孔に該コイルばね筒の係止ボールを装着すると共に、該係止ボールの押えロックと押えロック解除用の操作部を本体外周にスライド自在に備えたコイルばねの圧縮セットとワンタッチ解放手段から成る請求項２のクラッカー爆音放射筒。
【請求項４】
クラッカーの前方に、粉体・液体の放射物を封入して該クラッカーの爆発によって放射可能の液・粉バッグをセットしたクラッカー弾から成る請求項１〜請求項３のいずれかのクラッカー爆音放射筒。
【請求項５】
本体の両端部分に、クラッカー室を設けた両頭型形態の請求項１〜請求項４のいずれかのクラッカー爆音放射筒。
【請求項６】
本体の前半部分を請求項１〜請求項４のいずれかのクラッカー爆音放射筒に成し、かつ該本体の後方部分に液物スプレー体を内装し、該本体の後端開口部から該液物スプレー体によるスプレー放射を可能にした構造を特徴とするクラッカー爆音放射筒。
【請求項７】
請求項１〜請求項６のいずれかのクラッカー爆音放射筒を２本一体に並設セットした双筒形態のクラッカー爆音放射筒。
【発明の詳細な説明】
【０００１】
【発明の属する技術分野】
本発明は、舞台ショー・お祭りお祝いの各種イベント等において興趣性を盛り上げるのに用いたり、強盗・暴漢を撃退する等に用いるクラッカー爆音放射筒に関するものである。
【０００２】
【従来の技術】
広く一般に使用されているクラッカーを爆発させて、前記の興趣性を向上させる２連発式ピストル型クラッカーとして特許文献１に示す公知例があり、ピストル型本体に「火薬を封入したクラッカー本体」を個別に２個並設して収納すると共に、そのクラッカー本体の後方から引き出した爆発操作用引紐（以下、単に引紐という）を、前後スライド可能の操作体に接着テープで連結固定してセットする構造を有している。
【０００３】
そして、その操作体を指先で引き操作することによって前記引紐を強く引き操作して並設収納した２個のクラッカー本体を順次爆発させて銃口から爆発音を連続爆出させるように成っている。
【０００４】
【特許文献１】
実公昭６０−４２３０７号公報（請求項・図１）
【０００５】
【発明が解決しようとする課題】
以上の特許文献１のピストル型クラッカーは、通常ピストルの引金に当る前記操作体を指先操作することによってクラッカーを連発爆音放射させることができるものの、下記の難点がある。
【０００６】
即ち、前記の引紐を後方へ引き伸ばした細長袋形態のクラッカー本体をピストル型本体に装着して、その引紐を操作体に連結固定する作業は一般使用者では極めて困難にして、クラッカー本体の装填補充が実質的に不能になる。従って、単回使用の使い捨てせざるを得なくリサイクル使用が実質的にできないと共に、クラッカーを素早く再装填して連続爆発させたり、連続４発〜６発等の多連続爆音放射が不能にしてクラッカー爆音放射性能に欠ける。
【０００７】
本発明は、以上の従来技術の技術難点を解消するクラッカー爆音放射筒を提供するものである。
【０００８】
【課題を解決するための手段】
以上の技術課題を解決する本発明は「細長筒体の本体内に、複数のクラッカーを並設収納して該クラッカーの爆発用の引紐を後方に引き伸ばすクラッカー弾を装脱自在に収納して前記本体の端部に開口するクラッカー室を設けると共に、該本体の外周から操作片を突き出す引紐操作体を前記クラッカー室の後方中空部に設け、さらに、前記本体は、前記クラッカー弾の装脱用開閉蓋と、前記引紐の前記引紐操作体への着脱自在の連結係止手段を備え、前記操作片の指先操作によって前記クラッカー弾のクラッカーを順次爆発させて前記本体端から爆音放射させる構造を特徴とするクラッカー爆音放射筒」の第１発明と、
【０００９】
「細長筒体の本体内に、複数のクラッカーを並設収納して該クラッカーの爆発用の引紐を後方に引き伸ばすクラッカー弾を装脱自在に収納して前記本体の端部に開口するクラッカー室を設けると共に、該クラッカー室の後方中空部に前記引紐操作用のコイルばねを内設し、さらに、前記本体は、前記クラッカー弾の装脱用開閉蓋と該コイルばねと前記引紐との着脱自在の連結係止手段と、該コイルばねの圧縮セットロック手段と該圧縮セットロックの解除手段を備え、前記コイルばねの圧縮セットロックの解除による伸長付勢力によって前記引紐を引き操作して、前記クラッカー室のクラッカーを順次爆発させて前記本体端から爆音放射させる構造を特徴とするクラッカー爆音放射筒」の第２発明から成っている。
【００１０】
即ち、以上の構成の本発明のクラッカー爆音放射筒は、本体周壁に設けたクラッカー弾装脱用開閉蓋と、クラッカーの操作用の引紐を前記引紐操作体または前記引紐操作用コイルばねへ着脱自在に連結係止する引紐係止手段によって、使用済みクラッカー弾の取り出しと新クラッカー弾の再装填を迅速的確に実行可能にした構造が特徴である。
【００１１】
そして、前記構成の本発明のクラッカー爆音放射筒は、その爆音放射性能のさらなる向上を図る技術意図から「前記クラッカー室を筒体本体の両端側に設ける両頭形態」「筒体本体を２本並設一体化した双筒形態」「前記第２発明の引紐操作用コイルばねの圧縮セットロックとセットロック解除をワンタッチ的にするワンタッチ操作形態」「筒体本体の他端側から液体スプレー放射を可能にするスプレー体内設形態」の態様を採択する。
【００１２】
【作用】
前記構成の本発明のクラッカー爆音放射筒は、前記の開閉蓋と着脱自在の引紐係止手段の存在によって前記クラッカー弾の交換装填が迅速的確に可能になるので本体のリサイクル使用が可能になる。そして、予め準備したクラッカー弾の交換装填（使用済みクラッカー弾の取出しと、新クラッカー弾の装填）によって多発連続爆音放射が可能になり、クラッカーによる各種イベント等の興趣性を特段に向上すると共に、クラッカー爆音による暴漢・強盗の撃退性が向上する。
【００１３】
【発明の実施の形態】
まず、図１・図２を参照して第１発明１実施形態のクラッカー爆音放射筒１（以下、単にクラッカー筒１という）を説明する。即ち、クラッカー筒１は両端開口ストレート筒の細長円筒体の本体２から成り、この本体２の端部開口部の近傍にクラッカー室３が設けられると共に、本体２の中間部分には円筒上半部を切欠いて「開放と閉鎖ロック自在の開閉蓋４」を設けた形状を有し、このクラッカー室３に後述するクラッカー弾５が開閉蓋４を開いた開口部分から取り出し自在に装着セットできる。
【００１４】
即ち、クラッカー弾５は（図２参照）前方開口・後端閉鎖の紙製または樹脂製の円筒体にして内部の断面空間を壁板で３分割したクラッカーケース６から成り、この３分割中空部のそれぞれに「火薬を微量充填した公知のクラッカー１０」が装入されると共に、その３個のクラッカー１０のそれぞれ個別の爆発用の引紐１１Ａ・１１Ｂ・１１Ｃがクラッカーケース６の後方に引き出されている。
【００１５】
そして、この３本の引紐１１Ａ・１１Ｂ・１１Ｃは、最初に爆発させる１１Ａと、１１Ａに続いて爆発させる１１Ｂと１１Ｂに続いて爆発させる１１Ｃが順次長くなる長さに設定され、その端部に後述する引き紐操作体７に着脱自在に掛け止め連結する係止リング１３が設けられている。そして、この実施形態のクラッカーケース６のそれぞれのクラッカー１０の前方には「紙吹雪粉体または着色液」等を入れた噴出用液・粉バッグ１２が装着されている。
【００１６】
そして、本体２の中間部分の中空部には、本体２の周壁に切設したスリットから操作片８を突き出す引紐操作体７が、本体２の長手方向にスライド自在に内設されると共に、この引紐操作体７の前後面には「Ｌ字形の係止鉤１４が突出されて、この係止鉤１４に引紐１１Ａ〜１１Ｃの先端の係止リング１３が掛け止め可能に設定され、この係止リング１３と係止鉤１４によって「引紐１１Ａ〜１１Ｃと引紐操作体７の着脱自在の連結係止手段」を構成している。
【００１７】
なお、この実施形態のものは、中立姿勢で本体２の長さ方向の中心点に位置する引紐操作体７を中心として左右対称構造に設定された両頭形態に成っている。そして、本体２の両端には爆気噴出孔９を中心に有するキヤップＣが螺合セットされると共に、本体２の外周には使用時に手首に通す手首紐１５が任意位置に設けられている。そして、係止鉤１４の上端は本体２の内周に近接する長さを有し、本体２をいかなる姿勢にしても前記連結係止手段の連結係止状態が外れないように成っている。
【００１８】
なお、この実施形態のもの本体２のサイズは長さ＝約２１０粍、直径＝約２６粍にして、係止紐１１Ａと係止リング１３は係止鉤１４への掛け止めをし易くするために、自己形状保持可能の番線によって形成され、係止紐１１Ｂ・１１Ｃは軟質糸が用いてある。そして、噴出用液・粉バッグ１２は、クラッカー筒１をショー等で紙吹雪を放散させて興趣性向上に用いるときは「紙吹雪用粉」を封入し、クラッカー筒１を暴漢・強盗撃退用に用いるときは「犯人に付着させて犯人証拠にするための着色液や、撃退用の催涙液・目つぶし液・粉等」を封入する。
【００１９】
以上の実施形態のクラッカー筒１は、操作片８を一方向に強めに引き操作すると、最も短い引紐１１Ａが引張られてクラッカー１０Ａが爆発し、続いて引紐１１Ｂが引張られてクラッカー１０Ｂが爆発し、続いて引紐１１Ｃが引張られてクラッカー１０Ｃが順次爆発すると共に、その爆発によって噴出用液・粉バッグ１２がそれぞれのクラッカー１０の爆風で破れてクラッカー１０による爆発音と液・粉バッグ１２内の粉・液がキヤップＣの噴出孔９から爆出して３連発爆出放射ができる。
【００２０】
そして、一端側の３連発爆出放射後、本体２を速やかに方向変換して同じく操作片８を引き操作することによって、他側の３連発爆出放射ができる。そして、その連発爆出放射がすむと、開閉蓋４を開いて本体２の開放部分から使用済みクラッカー弾５を取り出すと共に新たなクラッカー弾５を装填して係止リング１３を係止鉤１４に掛け止めすることによって、迅速に連続爆出放射したり次の爆出放射に備えることができる。
【００２１】
続いて、第１発明のクラッカー放射筒１の他の実施形態を説明する。即ち図３（Ａ）は本体２の図示右半部分を、前記実施形態と同一の「クラッカー室３と引紐操作体７」を備えたクラッカー放射筒構造に成し、本体２の左半部分には「催涙液を内蔵して先端のノズルキヤップ２４を押すことによってノズルキヤップ２４から催涙液をスプレー噴出する市販公知の催涙液スプレー体２０」が内設され、本体２の外周に設けたプッシュ片２１を押すことによってキヤップＣの噴出孔９から催涙液がスプレー放射できる構造に設定されている（プッシュ片２１を押して催涙液スプレー体２０が前進すると、キヤップＣの内側によって前進ロック状態のノズルキヤップ２４が実質後退姿勢となってスプレー放射する）。
【００２２】
この図３（Ａ）に示すものはクラッカーの爆発放射と催涙スプレー放射ができるので暴漢撃退用として極めて有用になる。なお、図中の２３は催涙スプレー体２０を後退させてスプレーストップさせるリターン用付勢ばねである。
【００２３】
そして図３（Ｂ）に示すものは、引紐操作体７の他の形態が示してあり、引紐操作体７が「上端をピン連結して回転自在にしたレバー形態」に形成されている。そして図３（Ｃ）に示すものは本体２を２本並設して一体にした双筒形態に成っている。この図３（Ｃ）のものは１２連発放射等が可能にしてクラッカー筒１の性能が一段と向上する。
【００２４】
次に、図４を参照して第２発明１実施形態のクラッカー爆音放射筒３０（以下、単にクラッカー筒３０という）を説明する。即ち、この図４に示すクラッカー筒３０は図１・図２形態と同一のクラッカー室３と開閉蓋４を設けた本体２から成るものにおいて、クラッカー室３に装填したクラッカー１０の引紐１１の引き操作手段が、本体２に内設したコイルばね３１の圧縮姿勢からの伸長復元力を利用する構造に成っている。
【００２５】
詳しくは、コイルばね３１は、本体２の中空部をスライド移動自在にして「前方開口・後方閉鎖」の横置カップ形態のコイルばね筒３２に収納されている。そして、そのコイルばね筒３２の底板内側から「コイルばね３１の中心空間を貫通して前端にＬ字鉤１４Ａを有する係止鉤１４」が設けられ、この係止鉤１４はコイルばね３１の前端から突き出す形状に設定されており、図１のものと同様にクラッカー室３に装填したクラッカー弾５の引紐１１の後端の係止リング１３が掛け止め係止できる。そして、コイルばね筒３２には係止リング１３方向への移動を止めるストッパーＳが設けてある。
【００２６】
一方、図４（Ｂ）参照コイルばね筒３２がスライド移動する本体２の要所には、係止ボール３３を挿入した係止ボール孔３４が本体２の周壁を貫通して設けられると共に、コイルばね筒３２の外周にはコイルばね３１の圧縮セット状態のとき係止ボール３３の下半部分を受け入れて係止する半円球凹形状の係止部３５が凹設されている。
【００２７】
そして、本体２の外周には、本体２の外周に沿ってスライド移動自在にして係止ボール３３を押え込むボール押圧片３６を有する操作部３７が設けられ、この操作部３７には押圧した係止ボール３３の上半部を受け入れて係止ボール３３を上方へ浮上可能にする半球凹部のロック解除部３８が設けてある。
【００２８】
そして、例えば本体２の後端開口部から押込みバー４０を入れてコイルばね筒３２を押してコイルばね３１を図示実線の圧縮状態にすると共に操作部３７をスライドさせると、操作部３７の内側で押圧された係止ボール３３がコイルばね筒３２の係止部３５に嵌入係合してコイルばね筒３２が係止されてコイルばね３１の圧縮セットを係止ロックする。
【００２９】
そして、そのロック状態から操作部３７を指先で図示矢印のようにスライド操作して係止ボール３３を操作部３７のロック解除部３８に係合させると、係止ボール３３が「圧縮姿勢のコイルばね３１の伸長復元力によってコイルばね筒３２がスライド移動して上方へ押し上げられ」前記圧縮セットロックが解除され、コイルばね３１の自力復元力によって伸長して図示点線のようにコイルばね筒３２が後方移動する。
【００３０】
かくして、その移動に連動する係止鉤１４の引き移動によって図１のクラッカー筒１と同様にクラッカー室３内のクラッカー１０群を順次爆発させる構造にして、前記の「コイルばね３１のワンタッチ圧縮セットロックとワンタッチ解放手段」を特徴にしている。
【００３１】
続いて図４（Ｃ）を参照してコイルばね３１の圧縮セット手段の他の形態を説明する。即ち、本体２にスライド自在に外嵌して本体２の直径上を貫通する押込みバー４２を有する圧縮セット体４１を設け、その押込みバー４２をコイルばね筒３２の後端に当てて、押込みバー４２を本体２のスライド溝４３をスライドさせることによってコイルばね３１を圧縮して、前記の操作部３７・係止ボール３３による圧縮セットロックとワンタッチ解放を成す構造に成っている。
【００３２】
以上の実施形態のクラッカー筒３０は前記クラッカー筒１と同様な作用を奏することができる。そして、このクラッカー筒３０もクラッカー筒１と同様な「粉・液バッグ１２つきクラッカー１０を装填したり」「前記の両頭型形態」「前記の双筒形態」「本体２の後方部分に液物スプレー体２０を内装する形態」を必要に応じて採択する。
【００３３】
なお、本発明のクラッカー筒１・３０は前記の実施形態に限定されず、クラッカーの爆発操作をし易くするための把手部を本体２に付設したり、意匠性に優れるキヤップＣにしたり、本体２の一端側のみからの放射に成す一端放射形態にする等の変化がある。
【００３４】
そして、本体２の壁部に「引紐１１の係止状態が確認できるピープホール」を設けることがあり、さらに前記第２発明のクラッカー筒３０は「コイルばね３１の圧縮セットロックと、そのセットロックのワンタッチ解除手段」として本体２の周壁に小形の係止レバーを設け、その係止レバー先端の爪部によって該セットロックとセットロック解除をする形態等にすることがある。
【００３５】
【発明の効果】
以上の説明のとおり本発明のクラッカー爆音放射筒は、クラッカー弾の装填セットと使用済みクラッカー弾の取出しが簡便的確にできるので、リサイクル使用が可能にして使用性能が向上すると共に使用コストが低減し、併せて資源の無駄消費を防止する。
【００３６】
そして多発連発放射ができるので、各種ショー・イベントでのクラッカーによる興趣性の特段の向上を図ると共に、暴漢・強盗の撃退性能が向上する。以上の有用な諸効果がある。
【図面の簡単な説明】
【図１】第１発明１実施形態のクラッカー爆音放射筒を示し、（Ａ）はその全体斜視図、（Ｂ）は構造説明の正面断面図、（Ｃ）は（Ａ）の本体の中央部分の横断面図、（Ｄ）は（Ａ）のクラッカー室の横断面図
【図２】図１実施形態のクラッカー爆音放射筒のクラッカー弾の構造と装填方法の説明図
【図３】第１発明のクラッカー爆音放射筒の他の実施形態群を示し、（Ａ）はその正面図、（Ｂ）はその要部正面図、（Ｃ）はその部分斜視図
【図４】第２発明のクラッカー爆音放射筒の実施形態を示し、（Ａ）はその１実施形態の構造と用法を示す正面図、（Ｂ）は（Ａ）の操作部とその用法を示す部分正面図、（Ｃ）は他の実施形態の部分正面図
【符号の説明】
１  第１発明のクラッカー爆音放射筒
２  本体
３  クラッカー室
４  開閉蓋
５  クラッカー弾
６  クラッカーケース
７  引紐操作体
８  操作片
１０  クラッカー
１１Ａ・１１Ｂ・１１Ｃ  引紐
１２  噴出用液・粉バッグ
１３  係止リング
１４  係止鉤
２０  催涙液スプレー体
２１  プッシュ片
３０  第２発明のクラッカー爆音放射筒
３１  コイルばね
３２  コイルばね筒
３３  係止ボール
３４  係止ボール孔
３５  係止部
３７  操作部
３８  ロック解除部
【図１】
2004309043.tif 000003
【図２】
2004309043.tif 000004
【図３】
2004309043.tif 000005
【図４】
2004309043.tif 000006